(57)【特許請求の範囲】
【請求項１】
屈曲状の放電路を形成するよう構成された一対の電極を有する蛍光ランプと；
蛍光ランプに電気的に接続された点灯回路と；
一端側に軸方向に沿いスリットを形成するとともに基端側に口金嵌挿部を有する円筒状部を、他端側に上記蛍光ランプを支持するとともに点灯回路を収容する収容部を有するカバー部と；
カバー部の口金嵌挿部にシェル先端のスカート部が嵌合されるとともにこのスカート部を部分的に内方に押圧して形成された凹部およびこの押圧によって口金嵌挿部に形成された陥没部の係合によって円筒状部に固定された口金と；
を具備していることを特徴とする蛍光ランプ装置。
【請求項２】
屈曲状の放電路を形成するよう構成された一対の電極を有する蛍光ランプと；
蛍光ランプに電気的に接続された点灯回路と；
一端側に軸方向に沿いスリットを形成するとともに基端側に口金嵌挿部を有する円筒状部を、他端側に上記蛍光ランプおよび点灯回路を支持するシャーシと；
蛍光ランプの一部および点灯回路を覆うようシャーシに係止されたカバー部と；
シャーシの口金嵌挿部にシェル先端のスカート部が嵌合されるとともにこのスカート部を部分的に内方に押圧して形成された凹部およびこの押圧によって口金嵌挿部に形成された陥没部の係合によって円筒状部に固定された口金と；
を具備していることを特徴とする蛍光ランプ装置。
【請求項３】
スカート部に形成された凹部および口金嵌挿部に形成された陥没部が、口金嵌挿部の円周方向に複数箇所形成されていることを特徴とする請求項１または２に記載の蛍光ランプ装置。
【請求項４】
円筒状部の一端側には、口金のシェルのねじ溝と略同形状の凸部が形成されており、このねじ溝と凸部とが係合することを特徴とする請求項１ないし３のいずれか一記載の蛍光ランプ装置。
【請求項５】
円筒状部に形成したスリットからランプの外部リード線が導出されて口金のスカート部と接続していることを特徴とする請求項１ないし４のいずれか一記載の蛍光ランプ装置。
【請求項６】
蛍光ランプのバルブは、１ないし複数本の曲成されたガラス管または複数本の直管状のガラス管を連接することにより放電路が形成された屈曲部を有することを特徴とする請求項１ないし５のいずれか一記載の蛍光ランプ装置。
【請求項７】
カバー部には、蛍光ランプを覆う制光体が設けられていることを特徴とする請求項１ないし６のいずれか一記載の蛍光ランプ装置。
【請求項８】
器具本体と；
この器具本体に設けられたソケットと；
このソケットに装着された請求項１ないし７のいずれか一記載の蛍光ランプ装置と；
を具備していることを特徴とする照明器具。
【発明の詳細な説明】
【０００１】
【発明の属する技術分野】
本発明は、蛍光ランプおよび点灯回路を備えた蛍光ランプ装置および照明器具に関する。
【０００２】
【従来の技術】
白熱電球に汎用されているＥ２６型口金を蛍光ランプに取付けるとともに安定器などの点灯回路部品を組込んで、既存のソケットにそのまま装着して点灯できる白熱電球と互換性のある電球形蛍光ランプ装置が実用化されている。
【０００３】
この電球形蛍光ランプ装置の蛍光ランプは、両端に電極を封着したガラス管バルブを略Ｕ字形に屈曲したり、この略Ｕ字形バルブをさらにもう一度略Ｕ字形に曲成させたいわゆる鞍形状の屈曲形のバルブ、または複数本の直管状のガラス管バルブを連結管を介して略Ｕ字形や略Ｗ字形に形成したコンパクト化されている。そして、この蛍光ランプバルブおよび点灯回路部品は、合成樹脂材料で成形した収容部を有するカバー部またはシャーシに取付けられているとともに、このカバー部で覆われた状態をなしている。
【０００４】
また、上記カバー部またはシャーシの蛍光ランプバルブが取付けられた反対側には、円筒状部の外周に螺旋溝が刻設され、この螺旋溝にＥ２６型口金が螺合して取付けられている。
【０００５】
【発明が解決しようとする課題】
しかし、上記のような口金の取付け構造は、円筒状部の外周に螺旋溝を形成するため金型加工に手間を要するとともに、口金のねじ溝に合わせる螺旋溝に高い精度の要求などがあり、製造コストがアップする問題がある。また、上述したように口金のねじ部のほぼ全周において、ランプ装置を支持できる効果を有し、また、カバー部またはシャーシの螺旋溝に口金のねじ部をねじ込めば簡単に結合がなされるように思われるが、この螺合には口金を２．５〜３．５回、回転しなければならないので取付作業が繁雑であるとともに自動化作業としても複雑な装置を必要とするので、ここでもコストアップの問題がある。
【０００６】
本発明は、口金をカバー部またはシャーシへ簡単な構成で、かつ、容易に取付けることのできる蛍光ランプ装置を提供することを目的とする。
【０００７】
【課題を解決するための手段】
本発明の請求項１に記載の蛍光ランプ装置は、屈曲状の放電路を形成するよう構成された一対の電極を有する蛍光ランプと、蛍光ランプに電気的に接続された点灯回路と、一端側に軸方向に沿いスリットを形成するとともに基端側に口金嵌挿部を有する円筒状部を、他端側に上記蛍光ランプを支持するとともに点灯回路を収容する収容部を有するカバー部と、カバー部の口金嵌挿部にシェル先端のスカート部が嵌合されるとともにこのスカート部を部分的に内方に押圧して形成された凹部およびこの押圧によって口金嵌挿部に形成された陥没部の係合によって円筒状部に固定された口金とを具備していることを特徴とする。
【０００８】
スカート部の対向する部位でポンチングなどの押圧手段により、口金の金属側の凹部を口金嵌挿部に形成された陥没部へ食込ませたので両者は確実な係合がはかれる。また、円筒状部の一端側には軸方向に沿ったスリットが形成されているので、リード線の引き出しやリード線と口金との電気接続が容易となる。
【０００９】
また、スリットを設けることにより、外部リード線をスリットに案内して外部に導出させることができる。
【００１０】
本発明の請求項２に記載の蛍光ランプ装置は、屈曲状の放電路を形成するよう構成された一対の電極を有する蛍光ランプと、蛍光ランプに電気的に接続された点灯回路と、一端側に軸方向に沿いスリットを形成するとともに基端側に口金嵌挿部を有する円筒状部を、他端側に上記蛍光ランプおよび点灯回路を支持するシャーシと、蛍光ランプの一部および点灯回路を覆うようシャーシに係止されたカバー部と、シャーシの口金嵌挿部にシェル先端のスカート部が嵌合されるとともにこのスカート部を部分的に内方に押圧して形成された凹部およびこの押圧によって口金嵌挿部に形成された陥没部の係合によって円筒状部に固定された口金とを具備していることを特徴とする。
【００１１】
上記請求項１記載のカバー部に変えてシャーシに口金嵌挿部を有する円筒状部が形成してあるので、上記請求項１記載に記載と同様な作用を奏する。
【００１２】
本発明の請求項３に記載の蛍光ランプ装置は、スカート部に形成された凹部および口金嵌挿部に形成された陥没部が、口金嵌挿部の円周方向に複数箇所形成されていることを特徴とする。
【００１３】
凹部と陥没部とからなる係止箇所は、少なくとも一箇所あればよいが、複数箇所とすることによってバランスがとれ、ソケット着脱時の回転に支障を来すことがない。
【００１４】
本発明の請求項４に記載の蛍光ランプ装置は、円筒状部の一端側には、口金のシェルのねじ溝と略同形状の凸部が形成されており、このねじ溝と凸部とが係合することを特徴とする。
【００１５】
ポンチングなどの押圧による突部形成のほか、カバー部の円筒状部の上方側に口金のシェルのねじ溝と略同形の凸部を形成しておくことにより、口金先端のスカート部が口金嵌挿部へ達し嵌合した時点で、口金の最奥部分のねじ溝が凸部と合致することによって口金を強固に取付けることができる。
【００１６】
本発明の請求項５に記載の蛍光ランプ装置は、円筒状部に形成したスリットからランプの外部リード線が導出されて口金のスカート部と接続していることを特徴とする。
【００１７】
一方の外部リード線を短区間で導出させることにより相互のリード線の短絡を防ぐことができる。
【００１８】
本発明の請求項６に記載の蛍光ランプ装置は、蛍光ランプのバルブが、１ないし複数本の曲成されたガラス管または複数本の直管状のガラス管を連接することにより放電路が形成された屈曲部を有することを特徴とする。
【００１９】
蛍光ランプのバルブをよりコンパクトな形状とすることができる。
【００２０】
本発明の請求項７に記載の蛍光ランプ装置は、カバー部に、蛍光ランプを覆う制光体が設けられていることを特徴とする。
【００２１】
グローブを取付けて点灯すれば、眩しさの少ない柔らかい雰囲気の照明が得られる。また、本発明でいう制光体とは、上記光拡散作用を奏するグローブ、発光色を変えるフィルター機能を有するグローブやガラス管バルブの破損を防止するための無色透明な保護グローブなどをいい、ガラス管バルブ全体を完全に覆わないものであってもよい。
【００２２】
本発明の請求項８に記載の照明器具は、器具本体と、この器具本体に設けられたソケットと、このソケットに装着された請求項１ないし７のいずれか一記載の蛍光ランプ装置とを具備していることを特徴とする。
【００２３】
請求項１ないし７のいずれか一に記載の蛍光ランプ装置を備えた照明器具は、請求項１ないし７に記載したと同様な作用を奏する。
【００２４】
【発明の実施の形態】
以下、本発明の実施の形態を図面を参照して説明する。図１は電球形蛍光ランプ装置Ｌの正面図、図２は図１においてカバー部に口金を被冠する過程の要部を拡大して示す正面図、図３は口金被冠後の要部を拡大して示す正面図である。
【００２５】
図中１はカバー部で、このカバー部１はＰＢＴ樹脂などの電気絶縁性の耐熱性合成樹脂材料で形成され、その一端側にはＥ２６型の口金２が取付けられている。また、カバー部１の他端側はドーム状をなし図において下方側の開口部にはＰＢＴ樹脂などの耐熱性合成樹脂材料で形成した円皿形をした固定板３が開口部を塞ぐようにして固定されている。この固定板３の固定は接着剤（図示しない。）や両者に形成した係止凹凸部（図示しない。）の係合により行われる。
【００２６】
また、４は蛍光ランプで、ガラス管バルブ４１を略Ｕ字形に屈曲したものをさらに略Ｕ字形に屈曲した鞍形をなした放電路を有し、その両端部にフィラメントコイルからなる電極（図示しない。）が設けられている。また、ガラス管バルブ４１の内面に蛍光体膜（図示しない。）が形成され内部に放電媒体として水銀およびアルゴンなどの希ガスが封入されている。
【００２７】
そして、円皿形をした上記固定板３には、バルブ取付筒部３１、…が、また、外周側の連続した面には制光体５取付け用の円環状の取付溝が形成されている。そして、上記バルブ取付筒部３１、…内にはバルブ４１の端部が差し込まれ、シリコーン系などの熱硬化性接着剤を介して両者は接合固定されている。
【００２８】
また、カバー部１の内部には点灯回路６を構成する、例えばトランジスタインバータを用いた高周波点灯用の回路部品６１、…を実装した配線基板などが収容されているとともに、この配線基板には上記蛍光ランプ４の外部リード線４２、４３が電気的に接続されている。
【００２９】
また、５は制光体で、略鞍型をなす蛍光ランプ４を覆うよう形成された一端が開口し先端部が半球状をなす光拡散性を有する合成樹脂やガラス製の略砲弾形をなすグローブである。このグローブ５は開口部を上記固定板３の円環状の凹部内に差込み、隙間にシリコーン系などの熱硬化性接着剤を充填して接合したり両者に形成した係止凹凸部（図示しない。）を係合することにより固定できる。
【００３０】
さらに詳述すると、上記カバー部１の口金２が取付けられる側は、大小径の２段に形成された円筒状部１１、１２を有し、大径部は口金嵌挿部１１をなし外周にはＥ２６型の口金２のスカート部２１が嵌合状態で取付けられている。また、小径部１２の外径は、口金２のシェル２２の内径と略同径で、その側壁には軸線に沿って一対のスリット１３、１３（図２では重複しているので１つに見える。）が形成されている。このスリット１３は、図示するように大径部１１にまで形成してあってもよく、また、この大径部１１では外部リード線４２が収容される溝状であってもよい。
【００３１】
そして、上記円筒状の口金嵌挿部１１に嵌合された口金２のスカート部２１は、正対（１８０度離れた）する外方からポンチングされて内方に押圧した凹所２４、２４を有する。また、このとき嵌挿部１１側も凹んだ陥没部１４、１４が形成される。
【００３２】
また、上記一方のスリット１３からは、ランプ４の一方の外部リード線４２が導出され上記口金２のスカート部２１の外面に、また、他方の外部リード線４３は円筒状部１２内のほぼ中央を延在してアイレット部２３に溶接やはんだ付けにより電気的に接続されている。なお、スリット１３の上部側が傾斜しているのは、リード線４２の引出しを容易にするためである。
【００３３】
そして、このような構成の電球形蛍光ランプ装置Ｌは、口金２の固定がスカート部２１の内径とほぼ同径に形成してある口金嵌挿部１１への嵌合であり、互いの接触面が平行していてランプ軸に対して口金２が曲がって固定されることがなく、ソケットに取付け点灯した場合に同心円状の配光特性が得られる。また、スカート部２１の対向する部位でポンチングして、口金２金属側を合成樹脂からなる口金嵌挿部１１へ食込ませたので両者は確実な係合がはかれ固定強度を向上することができた。
【００３４】
また、カバー部１の口金２が取付けられる大小径の円筒状部１１、１２側は、ねじ溝を有さないストレートであるのでその成形が容易である。また、スリット１３、１３を設けることにより、たとえば口金２の内径寸法にばらつきがあったとしてもスリット１３がその間隙を吸収してくれるとともに一方の外部リード線４２をスリット１３に案内して外部に導出させたので、両外部リード線４２、４３間を短絡することがない。
【００３５】
また、グローブ５付の蛍光ランプ装置Ｌを点灯すれば、蛍光ランプ４からの放射光はグローブ５を透過することによって拡散され柔らかな雰囲気の照明が得られる。
【００３６】
また、図４ないし図８は、本発明の電球形蛍光ランプ装置の他の実施の形態の要部を示し、図１ないし図３の実施の形態と同一部分には同一の符号を付してその説明は省略する。
【００３７】
図４は、カバー部１の円筒状部１２に１ないし数個の透孔または凹所１５を設けておき、円筒状部１２に口金２を被せ口金２先端のスカート部２１が口金嵌挿部１１へ達し嵌合した時点で、この透孔または凹所１５と対面する口金２部位の壁面を切起こして形成した切起片２５をこの透孔または凹所１５内に折返すことによって口金２を係止し、固定するようにしてもよい。なお、この場合は口金２ねじ部の谷溝側に切起片２５を形成した方が口金２の表面側に突出部が生じないので好ましい。
【００３９】
また、図５は、カバー部１の円筒状部１２の上方側に口金２のシェルのねじ溝と略同形の凸部１６を形成し、円筒状部１２に口金２を被せ口金２を上から押圧することにより押し込め、口金２先端のスカート部２１が口金嵌挿部１１へ達し嵌合した時点で、口金２の最奥部分のねじ溝が凸部１６と合致することによって口金２を取付けることができる。さらに、ポンチングにより固定強度が向上できる。
【００４０】
また、図６は、カバー部１の円筒状部１２の口金嵌挿部１１の複数箇所たとえばそれぞれが９０度隔てた４か所に突出部１６、１６、…が設けてあり、一方、口金２には、上記突出部１６、１６、…と対向するスカート部２１の４か所に上記突出部１６、１６、…の幅より狭い幅の切欠部２６、２６、…が形成してある。そして、両者を押圧することにより上記突出部１６、１６、…と切欠部２６、２６、…とが嵌合して、両者の固定がなされる。
【００４１】
また、図７は、口金２のスカート部２１の先端に鍔（フランジ）部２７が設けられていて、カバー部１の円筒状部１２に嵌合させた口金２の鍔（フランジ）部２７上にカバー部１の形成材料とほぼ同質材料で形成した円環状のリング１７を載せ、このリング１７を溶融することにより鍔（フランジ）部２７をカバー部１との間に挟み固定したものである。
【００４２】
さらに、上記図１ないし図７に示すものは、カバー部１に口金２を固定したものについて述べたが、このような実施の形態に限らず図８に示すようなものであってもよい。この図８は、蛍光ランプ（図示しない。）、点灯回路部品６１およびカバー部１が合成樹脂製の支持柱７１や支持板７２などからなるシャーシ７に支持され、このシャーシ７の端部に口金２が取付けられている。
【００４３】
すなわち、略山形をなすシャーシ７の下側には蛍光ランプ４や点灯回路部品６１が支持され、上側の円筒状部１２の口金嵌挿部１１にカバー部１中央の透孔が挿通され透孔周縁の鍔部１８が同様に支持されるとともに、円筒状部１２の口金嵌挿部１１に上述したと同じような構成で口金２が固定してある。
【００４４】
そして、上記図４ないし８に示されるようなカバー部１またはシャーシ７に口金スカート部２１の内径と略同径の口金嵌挿部１１および口金シェル２２の内径と略同径の円筒状部１２がそれぞれ設けられた構造であれば、口金２のスカート部２１が口金嵌挿部１１に嵌合され、ポンチングなどによりこの口金嵌挿部１１を含む部分が押圧変形して固定されることによって図１ないし図３に述べたと同様な作用効果を奏する。
【００４６】
また、図５に示すように口金嵌挿部１１の外表面にロレット加工などにより凹凸面１９を形成しておき、口金２のスカート部２１との嵌合をはかってもよい。この凹凸面１９は、両者の嵌合部が平滑面でないのですべりを防止でき、特にポンチング作業の際などに滑らず所定位置を係止できるとともに、ポンチングが浅い場合などでもスカート部２１側の内方に押出た凹所２４部分が凹凸面１９に係合するので接合強度が向上できる。
【００４７】
そして、上述した蛍光ランプ装置Ｌは、点灯器具などのソケットに取付けた状態で、即点灯することができる。
【００４８】
そして、この蛍光ランプ装置Ｌは、適宜の照明器具、使用目的や所望の発光特性に応じて使うことができる。
【００４９】
なお、本発明は上記実施の形態に記載したものに限定されない。たとえば、ランプや回路部品を支持するシャーシ、固定板や口金嵌挿部あるいはカバー部の構成は、ランプの形状や組込む部品等に応じて種々変形しててもよい。また、温度上昇が高いランプ装置にあっては、カバー部や固定板などに放熱用の通気孔を形成しておいてもよい。
【００５０】
また、蛍光ランプのバルブも実施形状に限らず、１本のガラス管で屈曲部を形成しても、複数本のガラス管で屈曲部を形成したものでもあるいは複数本の直管状バルブを繋ぎ管を介し放電路を形成したものであってもよい。また、固定板との関係において単なる略Ｕ字形状や略Ｗ字形状あるいは略Ｕ字形状のバルブを円周状に配置したものであっても差支えない。
【００５１】
さらに、ランプの点灯回路装置も、高周波点灯方式に限らず、他の方式による点灯であってもよい。さらに、点灯回路装置を構成する点灯回路部品は配線基板を用いることなく固定板に設けられていてもよい。
【００５２】
【発明の効果】
本発明の請求項１および請求項２の記載によれば、口金のスカート部の対向する部位でポンチングなどの押圧によりスカート部の凹部および口金嵌挿部の係合をはかったので、口金が確実、強固に接続された蛍光ランプ装置を提供できる。
また、円筒状部の一端側には軸方向に沿ったスリットが形成されているので、リード線の引き出しやリード線と口金との電気接続が容易となる。
【００５３】
また、合成樹脂などからなるカバー部やシャーシの成形が容易となり生産性を向上することができる。
【００５４】
本発明の請求項３の記載によれば、係止箇所を複数箇所とすることによってバランスがとれ、ソケット着脱時に回転力が加わっても十分に接続を保つことができる。
【００５５】
本発明の請求項４の記載によれば、ポンチングなどの突部形成のほか、口金のシェルのねじ溝と略同形の凸部との係合により、さらに固定強度を高めることができる。
【００５６】
本発明の請求項５の記載によれば、リード線相互の短絡を防ぐことができる。本発明の請求項６の記載によれば、既存の屈曲部を有するバルブを備えた蛍光ランプを用いることができる。
【００５７】
本発明の請求項７の記載によれば、制光体を選ぶことにより所定の配光特性を有する蛍光ランプ装置を得ることができる。
【００５８】
本発明の請求項８の記載によれば、上記請求項１ないし請求項７のいずれか一に記載した蛍光ランプ装置を装着しているので、上記請求項１ないし請求項７に記載したと同様な効果を奏する照明器具を提供することができる。
【図面の簡単な説明】
【図１】本発明の実施の形態の電球形蛍光ランプ装置を示す正面図である。
【図２】図１のランプ装置において、カバー部に口金を被冠する過程の要部を拡大して示す正面図である。
【図３】図１のランプ装置において、口金被冠後の要部を拡大して示す一部断面正面図である。
【図４】本発明の他の実施の形態の電球形蛍光ランプ装置の要部を拡大して示す一部断面正面図である。
【図５】本発明の他の実施の形態の電球形蛍光ランプ装置の要部を拡大して示す一部断面正面図である。
【図６】本発明の他の実施の形態の電球形蛍光ランプ装置において、カバー部に口金を被冠する過程の要部を拡大して示す一部断面正面図である。
【図７】本発明の他の実施の形態の電球形蛍光ランプ装置において、カバー部に口金を被冠する状態の要部を拡大して示す一部断面正面図である。
【図８】本発明の他の実施の形態の電球形蛍光ランプ装置において、カバー部に口金を被冠する過程の要部を拡大して示す一部断面正面図である。
【符号の説明】
Ｌ：電球形蛍光ランプ装置
１：カバー部
１１：口金嵌挿部
１２：円筒状部
１４：陥没部
２：口金
２１：スカート部
２２：シェル
２４：凹所
４：蛍光ランプ
４１：ガラス管バルブ
５：グローブ
６：点灯回路
６１：点灯回路部品
６：制光体（グローブ）
７：シャーシ
【図１】
0003873360.tif 000002
【図２】
0003873360.tif 000003
【図３】
0003873360.tif 000004
【図４】
0003873360.tif 000005
【図５】
0003873360.tif 000006
【図６】
0003873360.tif 000007
【図７】
0003873360.tif 000008
【図８】
0003873360.tif 000009